(57)【要約】【課題】共通のコンテンツに属する画像を複数のソース機器から出力させて表示部に表示させる際に、画像を同期させて表示できる表示制御装置等を提供する。【解決手段】表示制御装置は、複数の画像出力装置のそれぞれから共通のコンテンツに属する画像情報を送信させる各送信要求として、各画像出力装置から画像情報が送信されるまでのそれぞれの遅延時間に応じた各送信要求を、各画像出力装置に送信する要求部と、各送信要求に応じて取得された各画像情報に基づく各画像を表示部に表示させる表示制御部と、を備える。【選択図】図３
2020038249.tif 000002
【特許請求の範囲】
【請求項１】
複数の画像出力装置のそれぞれから共通のコンテンツに属する画像情報を送信させる各送信要求として、前記各画像出力装置から前記画像情報が送信されるまでのそれぞれの遅延時間に応じた前記各送信要求を、前記各画像出力装置に送信する要求部と、
前記各送信要求に応じて取得された前記各画像情報に基づく各画像を表示部に表示させる表示制御部と、
を備える表示制御装置。
【請求項２】
請求項１に記載の表示制御装置において、
前記要求部は、前記各送信要求が前記各画像出力装置に送信されてから前記各画像情報が取得されるまでの前記各画像出力装置のそれぞれの遅延時間に応じたタイミングで、前記各送信要求を前記各画像出力装置に送信する
ことを特徴とする表示制御装置。
【請求項３】
請求項２に記載の表示制御装置において、
前記要求部は、前記各画像出力装置のそれぞれの遅延時間が長い順に前記各送信要求を送信する
ことを特徴とする表示制御装置。
【請求項４】
請求項１から請求項３のいずれか１項に記載の表示制御装置において、
前記要求部は、
前記各画像出力装置のうちの前記遅延時間が最大の画像出力装置を基準とし、
前記基準とした画像出力装置以外の他の画像出力装置に前記送信要求を送信するタイミングを、前記基準とした画像出力装置に前記送信要求が送信されてからの経過時間が、前記基準とした画像出力装置と前記他の画像出力装置とのそれぞれの前記遅延時間の差分値となったタイミングとする
ことを特徴とする表示制御装置。
【請求項５】
請求項１から請求項４のいずれか１項に記載の表示制御装置において、
前記各画像出力装置の前記遅延時間を取得する取得部を備える
ことを特徴とする表示制御装置。
【請求項６】
請求項５に記載の表示制御装置において、
前記取得部は、前記各画像出力装置の前記遅延時間として、前記各画像出力装置に前記送信要求が送信されてから前記画像情報が受信されるまでの経過時間を取得する
ことを特徴とする表示制御装置。
【請求項７】
請求項１から請求項６のいずれか１項に記載の表示制御装置において、
前記各画像情報が共通のコンテンツに属するか否かを判定する判定部を備え、
前記要求部は、前記判定部によって、前記各画像情報が前記共通のコンテンツに属すると判定された場合に、前記各画像出力装置に前記遅延時間に応じたタイミングで前記送信要求を送信する
ことを特徴とする表示制御装置。
【請求項８】
請求項１から請求項７のいずれか１項に記載の表示制御装置において、
前記表示部をさらに備える
ことを特徴とする表示制御装置。
【請求項９】
複数の画像出力装置のそれぞれから共通のコンテンツに属する画像情報を送信させる各送信要求として、前記各画像出力装置から前記画像情報が送信されるまでのそれぞれの遅延時間に応じた前記各送信要求を、前記各画像出力装置に送信し、
前記各送信要求に応じて取得された前記各画像情報に基づく各画像を表示部に表示させる表示制御方法。
【請求項１０】
複数の画像出力装置のそれぞれから出力された画像情報に基づく各画像を表示部に表示させる表示制御装置を、
前記複数の画像出力装置のそれぞれから共通のコンテンツに属する画像情報を送信させる各送信要求として、前記各画像出力装置から前記画像情報が送信されるまでのそれぞれの遅延時間に応じた前記各送信要求を、前記各画像出力装置に送信する要求部と、
前記各送信要求に応じて取得された前記各画像情報に基づく前記各画像を表示部に表示させる表示制御部と、
として機能させる表示制御プログラム。
【発明の詳細な説明】
【技術分野】
【０００１】
本発明は、表示制御装置、表示制御方法、及び、表示制御プログラムに関する。
【背景技術】
【０００２】
特許文献１には、４つのソース機器が接続されたデジタルテレビジョン放送受信装置（画像表示装置）が記載されている。デジタルテレビジョン放送受信装置は、ＱＦＨＤ（Quad  Full  High  Definition）の解像度の表示部を備え、各ソース機器から入力されたＦＨＤ（full  high  definition）の解像度の映像を、表示画面を田の字型に４分割した各領域にそれぞれ対応的に割り振ってマルチ画面表示させている。
【先行技術文献】
【特許文献】
【０００３】
【特許文献１】特開２０１３−２０７７６９号公報
【発明の概要】
【発明が解決しようとする課題】
【０００４】
ところで、特許文献１に記載されるような従来の装置では、１つの元画像を４分割した際の各画像を、表示画面における各画像の表示領域に対応するソース機器から出力させることにより、元画像が表示画面に表示される。すなわち、各ソース機器から共通のコンテンツに関する画像が送信されて、表示画面に当該コンテンツに関る画像が表示される。
【０００５】
しかしながら、各ソース機器は、再生指示を受けてから、画像を再生し出力するまでの処理の遅延時間が異なる場合がある。このような場合、画像表示装置は、各ソース機器からの画像の受信タイミングが異なるため、これらの画像を同期させて表示させることが困難である。
【０００６】
本発明は、共通のコンテンツに属する画像を複数のソース機器から出力させて表示部に表示させる際に、画像を同期させて表示させることができる表示制御装置等を提供することを目的の一つとする。
【課題を解決するための手段】
【０００７】
本発明の一態様に係る表示制御装置は、複数の画像出力装置のそれぞれから共通のコンテンツに属する画像情報を送信させる各送信要求として、前記各画像出力装置から前記画像情報が送信されるまでのそれぞれの遅延時間に応じた前記各送信要求を、前記各画像出力装置に送信する要求部と、前記各送信要求に応じて取得された前記各画像情報に基づく各画像を表示部に表示させる表示制御部と、を備える。
【０００８】
本発明の一態様に係る表示制御装置において、前記要求部は、前記各送信要求が前記各画像出力装置に送信されてから前記各画像情報が取得されるまでの前記各画像出力装置のそれぞれの遅延時間に応じたタイミングで、前記各送信要求を前記各画像出力装置に送信することを特徴とする。
【０００９】
本発明の一態様に係る表示制御装置において、前記要求部は、前記各画像出力装置のそれぞれの遅延時間が長い順に前記各送信要求を送信することを特徴とする。
【００１０】
本発明の一態様に係る表示制御装置において、前記要求部は、前記各画像出力装置のうちの前記遅延時間が最大の画像出力装置を基準とし、前記基準とした画像出力装置以外の他の画像出力装置に前記送信要求を送信するタイミングを、前記基準とした画像出力装置に前記送信要求が送信されてからの経過時間が、前記基準とした画像出力装置と前記他の画像出力装置とのそれぞれの前記遅延時間の差分値となったタイミングとすることを特徴とする。
【００１１】
本発明の一態様に係る表示制御装置において、前記各画像出力装置の前記遅延時間を取得する取得部を備えることを特徴とする。
【００１２】
本発明の一態様に係る表示制御装置において、前記取得部は、前記各画像出力装置の前記遅延時間として、前記各画像出力装置に前記送信要求が送信されてから前記画像情報が受信されるまでの経過時間を取得することを特徴とする。
【００１３】
本発明の一態様に係る表示制御装置において、前記各画像情報が共通のコンテンツに属するか否かを判定する判定部を備え、前記要求部は、前記判定部によって、前記各画像情報が前記共通のコンテンツに属すると判定された場合に、前記各画像出力装置に前記遅延時間に応じたタイミングで前記送信要求を送信することを特徴とする。
【００１４】
本発明の一態様に係る表示制御装置において、前記表示部をさらに備える。
【００１５】
本発明の一態様に係る表示制御方法は、複数の画像出力装置のそれぞれから共通のコンテンツに属する画像情報を送信させる各送信要求として、前記各画像出力装置から前記画像情報が送信されるまでのそれぞれの遅延時間に応じた前記各送信要求を、前記各画像出力装置に送信し、前記各送信要求に応じて取得された前記各画像情報に基づく各画像を表示部に表示させる。
【００１６】
本発明の一態様に係る表示制プログラムは、複数の画像出力装置のそれぞれから出力された画像情報に基づく各画像を表示部に表示させる表示制御装置を、前記複数の画像出力装置のそれぞれから共通のコンテンツに属する画像情報を送信させる各送信要求として、前記各画像出力装置から前記画像情報が送信されるまでのそれぞれの遅延時間に応じた前記各送信要求を、前記各画像出力装置に送信する要求部と、前記各送信要求に応じて取得された前記各画像情報に基づく前記各画像を表示部に表示させる表示制御部と、として機能させる。
【図面の簡単な説明】
【００１７】
【図１】第１実施形態に係る表示システムの概略構成の一例を示す図である。
【図２】第１実施形態に係る表示システムの一例を概念的に示す図である。
【図３】第１実施形態に係る表示システムの概略構成の一例を示すブロック図である。
【図４】第１実施形態に係る特定用データの一例を示す図である。
【図５】第１実施形態に係る表示処理の一例を示す図である。
【図６】第２実施形態に係る表示システムの概略構成の一例を示すブロック図である。
【図７】第２実施形態に係るキャリブレーション処理の一例を示す図である。
【図８】第２実施形態に係る遅延時間取得処理の一例を示す図である。
【発明を実施するための形態】
【００１８】
以下、本発明の一態様に係る表示制御装置等について、図面を参照しつつ説明する。図面については、同一又は同等の要素には同一の符号を付し、重複する説明は省略する。
なお、本発明は、後述する実施形態の構成に限定されるものではなく、本発明の技術的思想の範囲内、即ち、同一の作用効果を発揮できる構成等の範囲内で変更できる。
【００１９】
［第１実施形態］
（表示システムの概要）
図１は、表示システム１の一例を示す概略構成図である。
表示システム１は、複数の画像出力装置としての第１画像出力装置１０、第２画像出力装置２０、第３画像表示３０、及び第４画像出力装置４０と、画像表示装置５０と、を備える。各画像出力装置１０〜４０は、共通のコンテンツに属する画像情報を出力可能である。各画像出力装置１０〜４０は、例えば、８Ｋ解像度を有するコンテンツ画像を４Ｋ解像度の４つの部分画像を組み合わせて画像表示装置５０に表示させる際の、互いに異なる一つの部分画像を出力する。画像表示装置５０は、各部分画像を表示して、一つのコンテンツ画像を表示する。ここで、画像表示装置５０は、各画像出力装置１０〜４０に画像情報の送信要求を送信する際に、各画像出力装置１０〜４０それぞれについて、送信要求が送信されてから、各画像出力装置１０〜４０から画像情報が送信されるまでの遅延時間に応じたタイミングで、各画像出力装置１０〜４０に送信要求を送信する。
【００２０】
（コンテンツ画像の構成）
図２は、表示システム１において画像表示装置５０に表示されるコンテンツ画像の一例を示す図である。
図２に示すように、コンテンツ画像６０は、左上画像６１、右上画像６２、左下画像６３、及び、右下画像６４の４つの部分画像を含む。本実施形態では、左上画像６１、右上画像６２、左下画像６３、及び、右下画像６４は、それぞれ４Ｋ解像度の部分画像である。これら４つの部分画像が組み合わされて表示され、８Ｋ解像度のコンテンツ画像６０が、画像表示装置５０に表示される。なお、本実施形態では、各部分画像のうち、左上画像６１は第１画像出力装置１０、右上画像６２は第２画像出力装置２０、左下画像６３は第３画像出力装置３０、及び、右下画像６４は第４画像出力装置４０からそれぞれ出力される場合について例示する。
【００２１】
（画像出力装置の構成）
図３は、表示システム１の概略構成の一例を示すブロック図である。
図３に示すように、第１画像出力装置１０は、記憶部１１と、制御部１２と、を備え、ＨＤＭＩ（High-Definition  Multimedia  Interface、登録商標）ケーブル等の接続線によって、画像表示装置５０に接続されている。第１画像出力装置１０は、制御部１２の制御に基づいて、画像（画像情報）を画像表示装置５０に出力する。第１画像出力装置１０は、例えば、コンテンツの録画再生を行うレコーダや、メディアに記憶されたコンテンツを再生するプレーヤである。
【００２２】
記憶部１１は、第１画像出力装置１０で再生可能な画像の画像データが記憶される。画像データには、左上画像６１に対応する画像データ（第１画像データとも称する）を含む。すなわち、第１画像出力装置１０は、少なくとも左上画像６１を出力可能である。また、記憶部１１は、画像データ以外にも、第１画像出力装置１０の制御に用いられる各種データやプログラムを記憶している。
【００２３】
第２画像出力装置２０、第３画像出力装置３０、及び第４画像出力装置４０は、第１画像出力装置１０と略同様に構成される。なお、本実施形態では、第２画像出力装置２０は右上画像６２を、第３画像出力装置３０は左下画像６３、及び、第４画像出力装置４０は右下画像６４を少なくとも出力可能である。
【００２４】
上述のように、各画像出力装置１０〜４０は、共通のコンテンツに属する画像情報として部分画像（左上画像６１、右上画像６２、左下画像６３、及び、右下画像６４のいずれか）を出力する。各画像出力装置１０〜４０は、部分画像に対応するコンテンツデータに、特定コンテンツであることを示す特定コンテンツ情報を付与して記憶している。
【００２５】
（画像表示装置の構成）
画像表示装置５０は、図３に示すように、入出力部５１と、表示部５２と、音声出力部５３と、操作受付部５４と、記憶部５５と、制御部５６と、を備える。
【００２６】
入出力部５１は、ＨＤＭＩ規格に対応する入出力端子と、各画像出力装置１０〜４０から入力された信号に対して各種の処理を実施する信号処理部と、を含み構成される。信号処理部は、例えば、コンテン信号に音声信号が含まれる場合、映像信号と音声信号とを分離する分離処理を実施する。入出力部５１は、各画像出力装置１０〜４０のそれぞれが接続され、各画像出力装置１０〜４０から出力された画像情報が入力される。また、入出力部５１は、各画像出力装置１０〜４０との間で、ＣＥＣ（Consumer  Electronics  Control）コマンド等の各種の制御信号が入出力される。例えば、画像表示装置５０は、送信要求として、各画像出力装置１０〜４０のそれぞれにコンテンツの再生指示に対応するＣＥＣコマンドを送信する。
【００２７】
入出力部５１は、第１〜第４入出力部５１１〜５１４により構成される。第１入出力部５１１は、第１画像出力装置１０が接続される。第２入出力部５１２は、第２画像出力装置２０が接続される。第３入出力部５１３は、第３画像出力装置３０が接続される。第４入出力部５１４は、第４画像出力装置４０が接続される。すなわち、コンテンツ画像６０を表示させる場合、第１入出力部５１１に左上画像６１が、第２入出力部５１２に右上画像６２が、第３入出力部５１３に左下画像６３が、第４入出力部５１４に右下画像６４がが、それぞれ入力される。
【００２８】
表示部５２は、制御部５６の制御によって、各画像出力装置１０〜４０から入力された画像情報に基づく画像を表示する。表示部５２は、例えば液晶、有機ＥＬ（Organic  Electro-Luminescence）、及びマイクロＬＥＤ（Light  Emitting  Diode）等の各種方式の表示パネルを含み構成される。
【００２９】
ここで、表示部５２の表示領域を４つに等分したうちの左上領域Ｌ１には第１入力部５１１に、右上領域Ｒ１には第２入力部５１２に、左下領域Ｌ２には第３入力部５１３に、右下領域Ｒ２には第４入力部５１４に、それぞれ入力された画像が表示される。換言すると、左上領域Ｌ１に左上画像６１が、右上領域Ｒ１に右上画像６２が、左下領域Ｌ２に左下画像６３が、右下領域Ｒ２に右下画像６４が、それぞれ表示される。
【００３０】
音声出力部５３は、制御部５６の制御に基づき、音声を出力する。
操作受付部５４は、図１に示すリモコン７０からの信号を受け付ける。すなわち、画像表示装置５０は、リモコン７０を介して、ユーザによる入力操作を受け付け可能に構成されている。なお、操作受付部１３は、リモコン７０以外にも、キーボードやマウス等の操作入力デバイスからの入力を受け付け可能に構成されてもよい。
【００３１】
記憶部５５は、磁気ディスク、ＲＡＭ（Random  Access  Memory）、及びフラッシュメモリ等を含み構成され、画像表示装置５０の制御に必要な各種データやプログラム等を記憶する。なお、記憶部５５には、各画像出力装置１０〜４０を制御するためのコマンドやデータが記憶されている。記憶部５５に記憶されているデータは、後述する、各画像出力装置１０〜４０への送信要求の送信タイミングを特定するための特定用データが含まれる。なお、本実施形態では、特定用データに各画像出力装置１０〜４０の遅延時間のデータが含まれる。
【００３２】
制御部５６は、例えば、ＣＰＵ（Central  Processing  Unit）、ＲＯＭ（Read  Only  Memory）、ＲＡＭ等を含み構成され、画像表示装置５０を制御する。制御部５６は、各種の制御用プログラムを実行し、表示制御部５６１と、判定部５６２と、要求部５６３と、として機能する。
表示制御部５６１は、信号に基づく画像を表示部５２に表示させる、表示に関する制御を行う。
判定部５６２は、再生対象のコテンンツに特定コンテンツ情報が付与されているか否かに基づいて、再生対象のコテンンツが特定コンテンツか否かを判定する。
要求部５６３は、各画像出力装置１０〜４０の遅延時間に応じたタイミングで、各画像出力装置１０〜４０への送信要求を送信する。
【００３３】
（画像表示処理）
画像表示装置５０は、各画像出力装置１０〜４０に画像情報の送信要求を送信する際に、各画像出力装置１０〜４０それぞれについて、送信要求に対する各画像出力装置１０〜４０の処理の遅延時間が長い順に、当該遅延時間に応じたタイミングで、各画像出力装置１０〜４０に送信要求を送信する。より具体的には、例えば、画像表示装置５０は、各画像出力装置１０〜４０のうち最も遅延時間が長い画像出力装置を基準とする。そして、画像表示装置５０は、基準とした画像出力装置に送信要求を送信してからの経過時間が、当該基準とする画像出力装置と、他の画像出力装置との遅延時間の差分値となったタイミングで、当該他の画像出力装置に送信要求を送信する。画像表示装置５０は、他の画像出力装置に対する送信要求の送信タイミングを特定するために、特定用データを用いる（図４参照）。
【００３４】
ここで、遅延時間とは、画像表示装置５０が、各画像出力装置１０〜４０に対して送信要求として再生コマンドを送信してから、各画像出力装置１０〜４０から画像情報を取得するまでの経過時間である。遅延時間には、各画像出力装置１０〜４０それぞれが再生コマンドを受けてからコンテンツを再生して画像情報を出力するまでの再生処理に要する時間と、各画像出力装置１０〜４０と画像表示装置５０との間の通信時間と、が含まれる。本実施形態では、各画像出力装置１０〜４０と画像表示装置５０は、ＨＤＭＩケーブルにより接続されているため、再生処理による遅延時間（例えば数秒）の方が、通信時間（例えば数十ミリ秒）よりも十分に長い。すなわち、本実施形態では、画像出力装置の遅延時間は、主に再生処理の遅延時間に依存する。再生処理の遅延時間は、主に、画像出力装置の機種毎に異なる。
遅延時間は、例えば、特定用データの一部として、各画像出力装置１０〜４０（各入出力部５１１〜５１４）に対応づけられて、記憶部５５に記憶されている。
【００３５】
図４は、画像表示処理にて、画像表示装置５０の要求部５６３が各画像出力装置１０〜４０への画像要求の送信タイミングを特定する際に用いる特定用データの一例である。
特定用データは、記憶部５５に記憶され、図４に示すように、各入出力部５１１〜５１４について、接続されている画像出力装置の遅延時間（ｓ）と、送信要求の送信順を示す変数ｉと、遅延時間が最長の基準の画像出力装置に対する遅延時間の差分値ΔＴｄ（ｉ）と、が対応付けられている。また、特定用データは、変数ｉの最大値ｉｍａｘを含んでいる。
【００３６】
変数ｉは、各画像出力装置１０〜４０の送信要求を送信する順番に対応し、変数ｉの最大値ｉｍａｘ以下の整数が設定される。送信順は、各画像出力装置１０〜４０について、遅延時間が長い順に設定される。図４に示す例では、第２入出力部５１２に接続された第２画像出力装置２０は、遅延時間が４ｓで最大であり、本実施形態における基準となる画像出力装置となる。第２入出力部５１２に接続された第２画像出力装置２０に、送信要求の送信順が１番目であることを示す変数ｉ＝１が付与されている。また、第１入出力部５１１（第１画像出力装置１０、遅延時間が３ｓ）に変数ｉ＝２が付与されている。また、第３入出力部５１３（第３画像出力装置３０、遅延時間が１ｓ）に変数ｉ＝４が付与されている。また、第４入出力部５１４（第４画像出力装置４０、遅延時間が２ｓ）に変数ｉ＝３が付与されている。また、図４に示す例では、４つの各画像出力装置１０〜４０の遅延時間が互いに異なり、各画像出力装置１０〜４０に順に送信要求が送信されるので、最大値ｉｍａｘ＝４が設定される。
【００３７】
複数の各画像出力装置１０〜４０のうち、遅延時間が同じ画像出力装置については、同一の変数ｉが付与され、送信要求が同時に送信される。例えば、４つの各画像出力装置１０〜４０のうち、第１画像出力装置１０と第２画像出力装置２０の遅延時間が同じ場合は、これら２つの各画像出力装置１０，２０に対して同一の変数ｉが付与される。この場合、最大値ｉｍａｘ＝３が設定される。また、例えば、４つの各画像出力装置１０〜４０の全ての遅延時間が同じ場合は、各画像出力装置１０〜４０の全てに対して同一の変数ｉ＝１が付与される。この場合、最大値ｉｍａｘ＝１が設定される。
【００３８】
遅延時間が同じとは、遅延時間が完全一致すること以外にも、遅延時間の差が、許容される誤差の範囲であることを含む。遅延時間の差の許容範囲は、例えば、画像バッファの記憶容量やフレームレートや画質等に応じて、画像バッファに記憶可能なフレーム数に対応する時間の範囲である。
【００３９】
特定用データは、本実施形態では、記憶部５５に予め記憶されているものとして説明する。特定用データの取得方法は、特に制限されず、例えば、後述する第２実施形態のように各画像出力装置１０〜４０の遅延時間を測定してもよいし、遅延時間が各画像出力装置１０〜４０に予め記憶されている場合は各画像出力装置１０〜４０から取得してもよい。
【００４０】
また、画像出力装置の機種情報と遅延時間とを対応づけた遅延情報を記憶部５５に記憶しておき、この遅延情報と、各画像出力装置１０〜４０から取得した機種情報と、に基づいて、各画像出力装置１０〜４０の遅延時間を特定してもよい。
機種情報は、画像出力装置の機種名や種別を示す情報であり、例えば、各画像出力装置１０〜４０のＥＤＩＤに含まれている。画像表示装置５０は、各画像出力装置１０〜４０のＥＤＩＤを参照することにより機種情報を取得できる。
また、遅延情報は、例えば、遅延時間の測定結果に基づいて生成されてもよいし、通信可能に接続された外部装置から取得されてもよい。
【００４１】
図５は、表示システム１による画像表示処理の一例を示すフローチャートである。
以下、図５を参照して、画像表示処理の一例について説明する。
画像表示装置５０の表示制御部５６１は、画像の表示指示を受け付ける（ステップＳ１）。
次に、判定部５６２は、表示指示を受けた画像が、特定コンテンツか否かを判定する（ステップＳ２）。
例えば、ユーザは、リモコン７０を操作することにより、第１画像出力装置１０の記憶部１１に記憶されている、再生可能なコンテンツのリストを表示部５２に表示させることができる。画像表示装置５０は、第１画像出力装置１０から、コンテンツ名、ジャンル情報、再生時間等のコンテンツに関する各種情報に加え、上述の特定コンテンツ情報が付与されているコンテンツについては特定コンテンツ情報を取得して、コンテンツリストを表示させる。コンテンツリストから、８Ｋ解像度の特定コンテンツ６０が選択された場合、判定部５６２は、特定コンテンツ６０に付与された特定コンテンツ情報を参照し、特定コンテンツ６０に対する表示指示であると判定する（ステップＳ１；ＹＥＳ）。なお、表示システム１は、第２〜第４画像出力装置２０〜４０についても、同様に、再生可能なコンテンツのリストを表示させ、ユーザにコンテンツを選択させることができる。
【００４２】
次に、要求部５６３は、変数ｉ＝１に設定し（ステップＳ３）、変数ｉの最大値ｉｍａｘ＞１か否かを判定する（ステップＳ４）。ここで、各画像出力装置１０〜４０の遅延時間が同じであり、最大値ｉｍａｘ＝１の場合（ステップＳ４；ＮＯ）、要求部５６３は、ステップＳ９の処理を実施する。すなわち、変数ｉ＝１が付与された各画像出力装置１０〜４０に、同時に送信要求が送信される。
各画像出力装置１０〜４０の少なくともいずれか一つの遅延時間が異なり、最大値ｉｍａｘ＞１の場合（ステップＳ４；ＹＥＳ）、タイマによる時刻Ｔのカウントを開始する（ステップＳ５）。
【００４３】
次に、要求部５６３は、基準の画像出力装置（本実施形態では第２画像出力装置２０）に送信要求を送信し、送信時の時刻Ｔ１を取得する（ステップＳ６）。
具体的には、要求部５６３は、特定用データ（図４参照）を参照して、変数ｉ＝１に対応する第２入出力部５１２から第２画像出力装置２０に送信要求を送信する。また、要求部５６３は、送信要求を送信した際の送信時刻Ｔ１を取得する。
【００４４】
次に、要求部５６３は、変数ｉに１を加算する（ステップＳ７）。
要求部５６３は、基準の画像出力装置に送信要求を送信してからの経過時間ΔＴ（＝Ｔ−Ｔ１）が、基準の画像出力装置の遅延時間と、送信順がｉ番目の画像出力装置の遅延時間との差分値ΔＴｄ（ｉ）以上となったか否かを判定する（ステップＳ８）。例えば、変数ｉ＝２の場合、要求部５６３は、特定用データを参照し、経過時間ΔＴが経過時間ΔＴｄ（２）＝１以上となったか否かを判定する。
【００４５】
要求部５６３は、経過時間ΔＴが差分値ΔＴｄ（ｉ）未満の場合（ステップＳ８；ＮＯ）、同判定を繰り返す。
要求部５６３は、経過時間ΔＴが差分値ΔＴｄ（ｉ）以上となった場合（ステップＳ８；ＹＥＳ）、送信順がｉ番目の画像出力装置に送信要求を送信する（ステップＳ９）。
【００４６】
次に、要求部５６３は、変数ｉがｉｍａｘ（図４に示す例ではｉｍａｘ＝４）以上か否かを判定する（ステップＳ１０）。
変数ｉがｉｍａｘ未満、すなわち、各画像出力装置１０〜４０の全てに送信要求を送信していない場合（ステップＳ１０；ＮＯ）、要求部５６３は、ステップＳ７に戻る。
【００４７】
一方、変数ｉがｉｍａｘ以上、すなわち、各画像出力装置１０〜４０の全てに送信要求を送信した場合（ステップＳ１０；ＹＥＳ）、表示制御部５６１は、表示処理を実施する（ステップＳ１１）。
ステップＳ１１の表示処理では、ステップＳ２でＹＥＳと判定されていた場合、表示制御部５６１は、各画像出力装置１０〜４０から入力された画像情報に基づく画像を表示部５２に表示させる。一方、表示指示を受けたコンテンツが特定コンテンツではなく、ステップＳ２でＮＯと判定された場合、制御部５６は、各画像出力装置１０〜４０のうちの表示指示を受けた画像出力装置に送信要求を送信し、送信要求に応じて入力された画像情報に基づく画像を表示部５２に表示させる。
【００４８】
上述のように、画像表示装置５０は、各画像出力装置１０〜４０のそれぞれに各遅延時間に応じたタイミングで送信要求を送信し、各画像出力装置１０〜４０から入力された画像情報に基づく画像を表示部５２に表示させる。このような構成では、画像表示装置５０は、共通のコンテンツに属する画像を各画像出力装置１０〜４０に再生させる際に、送信要求の送信タイミングを遅延時間に基づいて調整することにより、各画像出力装置１０〜４０からの画像情報の取得タイミングを調整することができる。したがって、各画像情報の取得タイミングのずれが小さくなるように調整することができ、画像を同期させて表示させることも可能である。
【００４９】
画像表示装置５０は、各画像出力装置１０〜４０のうちの遅延時間が最大の画像出力装置を基準として、他の画像出力装置への送信要求の送信タイミングを設定する。すなわち、画像表示装置５０は、遅延時間が最大の基準の画像出力装置に送信要求が送信されてからの経過時間ΔＴが、基準とした画像出力装置と他の画像出力装置とのそれぞれの遅延時間の差分値ΔＴｄ（ｉ）となったタイミングとする。これにより、各画像出力装置からの画像情報の取得タイミングが略同じタイミングとなるように、各画像出力装置の遅延時間に基づいて、送信要求の送信タイミングを調整することができる。
【００５０】
画像表示装置５０は、各画像出力装置１０〜４０による再生対象となる各画像情報が、共通のコンテンツに属するか特定コンテンツか否かを判定する。各画像情報が共通のコンテンツに属する場合に、各画像出力装置１０〜４０に遅延時間に応じたタイミングで送信要求を送信する。したがって、画像表示装置５０は、再生対象が特定コンテンツである場合は、遅延時間に応じた処理を実施し、再生対象が特定コンテンツではない場合は、例えば再生指示を受けたコンテンツのみを表示させる通常の処理を実施できる。すなわち、画像表示装置５０は、再生対象が特定コンテンツか否かに応じて適切な処理を実施できる。
【００５１】
［第２実施形態］
本発明の一態様に係る表示制御装置等の他の例として、第２実施形態について説明する。
第２実施形態において、画像表示装置は、各画像表示装置の遅延時間を取得する取得部を備える。また、画像表示装置は、取得した遅延時間を用いて、送信要求の送信タイミングを調整するキャリブレーション処理を実施する。
【００５２】
図６は、第２実施形態に係る表示システム１Ａの一例を示すブロック図である。
図６に示すように、画像表示装置５０Ａは、さらに取得部５６４を備える。なお、記憶部５５には、画像出力装置の機種名や種別を示す機種情報と遅延時間とが対応づけられた上述の遅延情報が予め記憶されている。
取得部５６４は、各画像出力装置１０〜４０の遅延時間が記憶部５５に記憶されていない場合に、遅延時間を取得する。取得部５６４は、各入出力部５１１〜５１４に接続された画像出力装置の機種情報を取得する。また、取得部５６４は、機種情報と遅延情報とに基づいて、既に各画像出力装置１０〜４０の遅延時間を取得済みでない場合に、遅延時間を取得する。
【００５３】
（キャリブレーション処理）
図７は、表示システム１Ａによる遅延時間の取得に関するキャリブレーション処理の一例を示すフローチャートである。
以下、図７を参照して、キャリブレーション処理の一例について説明する。
画像表示装置５０Ａの制御部５６は、キャリブレーション処理の実施タイミングか否かを判定する（ステップＳ２１）。制御部５６は、キャリブレーション処理の実施タイミングになるまで同判定を実施する（ステップＳ２１；ＮＯ）。
なお、キャリブレーション処理は、例えば、ユーザからの実施指示を受けた場合や、画像表示装置５０Ａの電源がオンとなった場合や、画像表示装置５０Ａに新たな画像出力装置が接続されたことが検知された場合等に実施される。
【００５４】
キャリブレーション処理の実施タイミングになると（ステップＳ２１；ＹＥＳ）、取得部５６４は、タイマによる計時を開始する（ステップＳ２２）。
次に、取得部５６４は、変数ｋを初期化（変数ｋ＝０）する（ステップＳ２３）。ここで、変数ｋは、遅延時間の計測対象の画像出力装置を示す。すなわち、変数ｋは、遅延時間の計測対象が、第１入出力部５１１から第４入出力部５１４のうちの第ｋ入出力部に接続された第ｋ画像出力装置であることを示す。
【００５５】
取得部５６４は、変数ｋに１を加算し（ステップＳ２４）、第k入出力部に接続された第ｋ画像出力装置の機種情報を取得する（ステップＳ２５）。
機種情報は、例えば、各画像出力装置１０〜４０のＥＤＩＤ等に含まれ、画像表示装置５０Ａからの機種情報の要求に応じて、各画像出力装置１０〜４０から画像表示装置５０Ａに送信される。
【００５６】
取得部５６４は、ステップＳ２５で取得した第ｋ画像出力装置の機種情報と遅延情報とに基づいて、第ｋ画像出力装置の遅延時間が記憶部５５に記憶されているか否かを判定する（ステップＳ２６）。
第ｋ画像出力装置の遅延時間が既に記憶部５５に記憶されていない場合（ステップＳ２６；ＮＯ）、取得部５６４は、遅延時間取得処理を実施する（ステップＳ２７）。取得部５６４は、取得した遅延時間を特定用データの一部として記憶部５５に記憶する。このように、取得部５６４は、遅延時間が記憶されていない画像出力装置についてのみステップ２７の遅延時間取得処理を実施するので、キャリブレーション処理の処理時間の短縮を図ることができる。
【００５７】
図８は、ステップＳ２７に示す遅延時間取得処理の一例を示すフローチャートである。
本実施形態では遅延時間取得処理において、第ｋ画像出力装置の遅延時間を測定する。
取得部５６４は、第ｋ画像出力装置に送信要求を送信し（ステップＳ２７１）、タイマの計時情報に基づいて送信要求の送信時刻Ｔａ（ｋ）を取得する（ステップＳ２７２）。
取得部５６４は、画像情報を受信したか否かを判定し（ステップＳ２７３）、画像情報を受信していない場合（ステップＳ２７３；ＮＯ）、同判定を繰り返す。
取得部５６４は、画像情報が受信している場合（ステップＳ２７３；ＹＥＳ）、受信時刻Ｔｂ（ｋ）を取得する（ステップＳ２７４）。
【００５８】
取得部５６４は、遅延時間Ｔｄ（ｋ）を取得する（ステップＳ２７５）。具体的には、受信時刻Ｔｂ（ｋ）から送信時刻Ｔａ（ｋ）を減じることにより、遅延時間Ｔｄ（ｋ）が算出される。
取得部５６４は、第ｋ画像出力装置の機種情報と、取得した遅延時間Ｔｄ（ｋ）とを対応づけて遅延情報を生成する（ステップＳ２７６）。
【００５９】
このように、取得部５６４は、各画像出力装置１０〜４０の遅延時間が不明な場合でも、各画像出力装置１０〜４０の遅延時間を取得することができる。
また、取得部５６４は、送信要求を送信してから画像情報を受信するまでの経過時間を遅延時間として測定することにより、各画像出力装置１０〜４０の送信要求に対する遅延時間を正確に取得することができる。
【００６０】
図７に戻り、ステップＳ２７の遅延時間取得処理に続き、変数ｋが４以上か否か、すなわち各画像出力装置１０〜４０の全てについて遅延時間を取得したか否かを判定する（ステップＳ２８）。
本実施形態では、画像表示装置５０には４つの画像出力装置が接続されている。したがって、変数ｋが４未満の場合（ステップＳ２８；ＮＯ）、４つの画像出力装置の全てについて遅延時間を取得していない可能性があるので、取得部５６４は、ステップＳ２４に戻る。
【００６１】
一方、変数ｋが４以上の場合（ステップＳ２８；ＹＥＳ）、４つの画像出力装置の全てについて遅延時間を取得しており、取得部５６４は、取得した遅延時間に基づいて、特定用データ（図４参照）を生成する。すなわち、取得部５６４は、各画像出力装置１０〜４０の遅延時間に基づいて、送信順を示す変数ｉを設定した後、差分値ΔＴｄ（ｉ）を算出して、特定用データを生成する。
制御部５６は、特定用データを生成したら、キャリブレーション処理を終了する。
【００６２】
［変形例］
本発明に係る表示システム等は、上述の各実施形態に限定されず、本発明の技術的思想の範囲内において、各種の変形や、各実施例の全部及び一部を組み合わせる等の変更によって得られる構成は本発明に含まれるものである。
【００６３】
上記第１実施形態では、画像表示装置５０は、各入出力部５１１〜５１４を介して送信要求を送信するタイミングを、特定用データを用いて特定する構成について例示したが、これに限定されない。例えば、画像表示装置５０は、特定用データを用いずに、各入出力部５１１〜５１４に接続された各画像出力装置１０〜４０それぞれの遅延時間を用いて、各画像出力装置１０〜４０に対する送信要求の送信タイミングを算出してもよい。
また、上記第２実施形態でも同様に、図７に示すステップＳ２９の処理である、特定データの生成処理を省略してもよい。
【００６４】
上記第２実施形態では、遅延情報と、画像出力装置の機種情報とに基づいて、当該画像出力装置の遅延時間が既知であれば、遅延時間の測定を実施しない構成を例示したが、これに限定されない。例えば、ユーザからキャリブレーション処理の実施指示を受けた場合等の所定タイミングでは、遅延時間が既知の場合でも、上記遅延時間の測定処理を実施してもよい。また、上記所定タイミングに関わらず、キャリブレーション処理の実施タイミングにおいても同様に、全ての画像出力装置について遅延時間の測定処理を実施してもよい。これにより、何らかの理由で遅延時間が変化した場合でも、遅延時間を更新することができる。
【００６５】
上記各実施形態では、画像出力装置として、記憶部に記憶されたコンテンツを再生可能なレコーダや、メディアに記憶されたコンテンツを再生可能なプレーヤが例示されたが、これに限定されない。例えばＶＯＤコンテンツ再生用のＶＯＤ機器等の、ネットワークを介してコンテンツを取得し、当該コンテンツを再生可能な画像出力装置についても本発明を適用できる。
【００６６】
上記各実施形態では、複数の画像情報が共通のコンテンツに属する場合の例として、複数の画像情報が、１つの元画像を複数に分割した各分割画像の画像情報である場合を例示したが、これに限定されない。例えば、互いに異なる画像であるが互いに関連し、同時に表示されて視聴されるように作成された複数の画像を表示するための画像情報でもよい。
なお、各画像出力装置から共通のコンテンツに属する画像情報を出力させる場合に限らず、任意の画像情報を出力させる場合でも、本発明を好適に適用可能である。例えば、ユーザが、複数の画像出力装置によって動画コンテンツを再生させて画像を比較する場合等に、各画像出力装置による再生タイミングを同期させることができる。
【００６７】
上記各実施形態では、本発明の一態様に係る表示制御装置として、表示部５２を備える画像表示装置５０，５０Ａを例示したが、これに限定されず、表示部５２が別に設けられてもよい。例えば、各入出力部５１と制御部５６とを備え、表示部５２を制御する表示制御装置も、本発明の一態様に係る表示制御装置に含まれる。
【００６８】
上記各実施形態では、遅延時間は、各画像出力装置に送信要求が送信されてから、画像情報が取得されるまでの経過時間の測定値として取得されていたが、これに限定されない。例えば、各画像出力装置が、遅延時間を予め記憶しており、画像表示装置からの要求に応じて、画像表示装置に送信してもよい。また、画像表示装置は、外部のサーバや記憶装置と通信可能に接続されている場合、各画像出力装置の機種情報に基づいて、各画像出力装置の遅延時間を外部のサーバや記憶装置から取得してもよい。
【００６９】
上記各実施形態では、送信要求の送信タイミングを、基準の画像出力装置（遅延時間最大）に送信要求が送信されてからの経過時間が、基準の画像出力装置の遅延時間と、他の画像出力装置の遅延時間との差分値となったタイミングとするとした。これにより、各画像出力装置からほぼ同時に画像情報を受信できるが、送信要求の送信タイミングは上記例に限定されない。例えば、各画像出力装置からの画像情報の取得タイミングの差が所定時間以下となるように、各画像出力装置の遅延時間に応じて、各画像出力装置への送信要求のタイミングを調整してもよい。所定時間は、例えば、最も遅延なく受信された画像情報を、最も遅延した画像情報が受信されるまでに画像バッファに保持可能なように、画像バッファの容量に応じて適宜設定される。
【００７０】
上記各実施形態では、各画像出力装置の遅延時間に応じた送信要求として、各画像出力装置の遅延時間に応じたタイミングで各画像出力装置に送信される送信要求を例示したが、本発明はこれに限定されない。遅延時間に応じた送信要求として、例えば、遅延時間に応じた時間だけ遅延させて画像情報を送信させる遅延指示を含む送信要求を、各画像出力に同時に送信してもよい。より具体的には、画像表示装置は、図４に示すΔＴｄ（ｉ）だけ遅延させて画像情報を出力させる遅延指示を含む送信要求を各画像出力装置に同時に送信してもよい。
【００７１】
また、遅延時間に応じた送信要求として、例えば、上記遅延時間に応じた遅延指示を含む送信要求を、上記遅延時間に応じたタイミングで、各画像出力に送信してもよい。例えば、第１〜第４画像出力装置１０〜４０の遅延時間がそれぞれ、１３秒、１４秒、１秒、２秒である場合について例示する。先ず、第１画像出力装置１０及び第２画像出力装置２０に送信要求を同時に送信する。この際、第１画像出力装置１０には、１秒遅延させる遅延指示を含む送信要求を送信する。次に、第１画像出力装置１０及び第２画像出力装置２０に送信要求を送信してから１０秒後に、第３画像出力装置３０及び第４画像出力装置４０に送信要求を同時に送信する。この際、第３画像出力装置３０には、３秒遅延させる遅延指示を含む送信要求を送信する。また、第４画像出力装置４０には、２秒遅延させる遅延指示を含む送信要求を送信する。
【００７２】
上記各実施形態では、画像表示装置と画像出力装置とはＨＤＭＩ規格に対応する端子を備え、ＨＤＭＩケーブルで接続されている場合について例示したが、これに限らず、Ｄ−ｓｕｂ（D-subminiature）端子、及びＲＣＡ端子等の各種規格の端子を備え、当該端子が互いに有線接続されていてもよい。また、画像表示装置と画像出力装置とは、Ｗｉ-Ｆｉ（登録商標）やＢｌｕｅｔｏｏｔｈ（登録商標）等の各種無線通信規格に対応し、互いに無線通信により画像出力装置から画像表示装置に送信してもよい。
【符号の説明】
【００７３】
１，１Ａ  表示システム、１０  第１画像出力装置、２０  第２画像出力装置、３０  第３画像出力装置、４０  第４画像出力装置、５０，５０Ａ  画像表示装置、５１  入出力部、５２  表示部、５３  音声出力部、５４  操作受付部、５５  記憶部、５６  制御部、６０  元画像、６１  左上画像、６２  右上画像、６３  左下画像、６４  右下画像、７０  リモコン、５１１  第１入出力部、５１２  第２入出力部、５１３  第３入出力部、５１４  第４入出力部、５６１  表示制御部５６１、５６２  判定部、５６３  要求部、５６４  取得部
【図１】
2020038249.tif 000003
【図２】
2020038249.tif 000004
【図３】
2020038249.tif 000005
【図４】
2020038249.tif 000006
【図５】
2020038249.tif 000007
【図６】
2020038249.tif 000008
【図７】
2020038249.tif 000009
【図８】
2020038249.tif 000010